(57)【要約】【課題】  光学シートと枠体との間に生じる衝突音を低減する。【解決手段】  本発明は、光源と、その光源の光を導光する導光体と、その導光体の上に配置された光学シートと、その光学シートを収容する開口部を有する枠体と、それらを収容する筐体と、を備えたバックライトユニットにおいて、上記光学シート１０３の周縁部は、上記光学シートの略矩形の外形を成す各辺のうち一方の長辺側と他方の長辺側とに突起群１０２をそれぞれ有しており、上記突起群１０２は、上記枠体１０４の側壁に設けられた突起収納部１０９に配置される第一の突起１０２ａと、上記枠体１０４の開口部内において上記突起収納部１０９の外側に配置される第二の突起１０２ｂと、を含むことを特徴とする。【選択図】  図２
2008243731.tif 000002
【特許請求の範囲】
【請求項１】
光源と、その光源の光を導光する導光体と、その導光体の上に配置された光学シートと、その光学シートを収容する開口部を有する枠体と、それらを収容する筐体と、を備えたバックライトユニットにおいて、
前記光学シートの周縁部は、前記光学シートの略矩形の外形を成す各辺のうち一方の長辺側と他方の長辺側とに突起群をそれぞれ有しており、
前記突起群は、前記枠体の側壁に設けられた突起収納部に配置される第一の突起と、前記枠体の開口部内において前記突起収納部の外側に配置される第二の突起と、を含むことを特徴とするバックライトユニット。
【請求項２】
前記突起収納部は、前記枠体の側壁に設けられた貫通孔である請求項１に記載のバックライトユニット。
【発明の詳細な説明】
【技術分野】
【０００１】
本発明は、液晶表示装置の光源であるバックライトユニットに関し、特に、バックライトユニットに内蔵される拡散シートなどの光学シートがそれらを収納する枠に衝突して発生する衝突音を小さくしたバックライトユニットに関する。
【背景技術】
【０００２】
バックライトユニットが光源として用いられた表示装置として、例えば、液晶テレビ、携帯電話あるいは自動車の車内に搭載された表示装置を挙げることができる。このような表示装置に内蔵されているバックライトユニットは、発光ダイオードや蛍光管などの光源の前方に拡散シートやプリズムシートなどの各種光学シートが、通常、複数配置されている。これらの光学シートは、バックライトの点灯時、発熱する光源の前方に位置しているため、その熱により加熱される。また、光学シートは、外気温の変化でも加熱される。このように光学シートが加熱されると、熱膨張により光学シートの縦横の長さが増大する。
【０００３】
一般に、光学シートはバックライトユニットの筐体の一部に形成された枠体内に収容され保持されている。この枠体は、周囲温度の変化による光学シートの膨張および収縮に対応できるように、各部材の加工公差も考慮して、光学シートの収容部が大きめに形成されている。例えば、光学シートが熱膨張しても、枠体内に収納された光学シートが突っ張らないように、少なくとも熱膨張による光学シートの大きさの増加分と、光学シートおよび枠体の加工公差を考慮して、光学シートを収容する開口部が大きめに形成されている。これにより、常温時に光学シートの周縁部と枠との間に隙間が形成される。そのため、光学シートは、その枠内で、低温の状態から高温の状態の間で、枠の束縛を受けることなく自由に膨張と収縮を繰り返すことができる。
【０００４】
ところで、携帯電話や、自動車の車内に搭載された表示装置についても、そのバックライトユニットには、光学シートを備えており、光学シートの支持構造も、熱膨張を考慮して、光学シートの各辺と枠との間に隙間が形成されている。その隙間部分を光学シートの周縁部が伸縮できるように支持されている。すなわち、これらのバックライトユニットでは、熱膨張していないとき、光学シートの各辺と枠との間に形成された隙間の範囲内を光学シートが自在に移動ができる。その結果、表示装置本体が動いたり、外部から振動が加わったりすると、その衝撃で光学シートが移動し、それらを収納している枠に衝突して、衝突音が発生する。
【０００５】
このような衝突音は、表示装置の使用者にとって不愉快に感じられ、好ましいものではない。そのため、バックライトユニットの内部における光学シートと枠との衝突を抑制し、表示装置の使用者が不愉快に感じない程度に衝突音を小さくすることが望まれている。特に、自動車の車内に搭載された表示装置について、自動車の振動による光学シートと枠体との衝突を緩和することは重要な課題である。
【０００６】
そこで、光学シートの周縁部と枠との間に、周囲温度の変化による光学シートや枠体の大きさの変化と、光学シートや枠体の加工公差を加味した隙間を設けて、枠内に収納された光学シートが移動自在に収納されたバックライトユニットについて、下記特許文献１に記載の発明は、光学シートの外周の各辺に、光学シートと一体的に形成された突起を設けている。これにより、光学シートの辺全体で枠の側壁に衝突するものと比較して、光学シートと枠の衝突が局所的となる。そのため、光学シートが移動して枠に衝突する際に発生する衝突音を確かに従来よりも小さくすることができる。
【０００７】
【特許文献１】特開２００６−２４４８３号公報
【発明の開示】
【発明が解決しようとする課題】
【０００８】
特許文献１に記載のバックライトユニットは、光学シートの四辺全てに突起が設けられ、それらの突起がそれぞれ向かい合う枠の壁に局所的に衝突することにより、光学シートが移動して枠に衝突する際に発生する衝突音を小さくしている。
【０００９】
しかしながら、このようなバックライトユニットは、光学シートの移動の方向すべてにおいて、枠内における光学シートの位置が、光学シートの全体形状と、光学シートを形成する材料の膨張係数とに依存することとなる。例えば、外形が略矩形の光学シートの短手方向（Ｘ方向）および光学シートの長手方向（Ｙ方向）それぞれについて、光学シートの選択材料によって決まる膨張係数および光学シートの加工公差を考慮して、枠体と光学シートとの間の隙間の大きさを設計する必要も生じる。このような場合、たとえ、上記特許文献に開示されるような、光学シートの各辺における突起と枠との衝突であっても、光学シートの膨張や収縮による寸法変化がないとき、光学シートと枠との衝突音が大きくなってしまう。
【００１０】
そこで、本発明は、光学シートの位置が光学シートの全体形状に依存することなく、光学シートが移動して枠に衝突する際に発生する衝突音を、従来よりもさらに小さくすることを目的とする。
【課題を解決するための手段】
【００１１】
以上の目的を達成するために本発明に係るバックライトユニットは、光源と、その光源の光を導光する導光体と、その導光体の上に配置された光学シートと、その光学シートを収容する開口部を有する枠体と、それらを収容する筐体と、を備えたバックライトユニットにおいて、上記光学シートの周縁部は、上記光学シートの略矩形の外形を成す各辺のうち一方の長辺側と他方の長辺側とに突起群をそれぞれ有しており、上記突起群は、上記枠体の側壁に設けられた突起収納部に配置される第一の突起と、上記枠体の開口部内において上記突起収納部の外側に配置される第二の突起と、を含むことを特徴とする。上記突起収納部は、上記枠体の側壁に設けられた貫通孔であることが好ましい。
【発明の効果】
【００１２】
本発明は、光学シートの縦横それぞれの移動を制限する突起群を、光学シートの外形を成す二つの長辺側周縁部にそれぞれ局所的に設けている。このため、枠体に対する光学シートの位置が光学シートの長手方向の形状に依存することなく、光学シートが移動して枠に衝突する際に発生する衝突音を従来よりもさらに小さくすることができる。
【発明を実施するための最良の形態】
【００１３】
本発明を実施するための最良の形態を、以下に図面を参照しながら説明する。ただし、以下に示す形態は、本発明の技術思想を具体化するためのバックライトユニットを例示するものであって、本発明はバックライトユニットを以下に限定するものではない。
【００１４】
また、本明細書は特許請求の範囲に示される部材を、実施の形態の部材に特定するものでは決してない。実施の形態に記載されている構成部品の寸法、材質、形状、その相対的配置等は、特に特定的な記載がない限りは、本発明の範囲をそれのみに限定する趣旨ではなく、単なる説明例にすぎない。なお、各図面が示す部材の大きさや位置関係等は、説明を明確にするため誇張していることがある。さらに以下の説明において、同一の名称、符号については同一もしくは同質の部材を示しており、詳細な説明を適宜省略する。さらに、本発明を構成する各要素は、複数の要素を同一の部材で構成して一の部材で複数の要素を兼用する態様としてもよいし、逆に一の部材の機能を複数の部材で分担して実現することもできる。
【００１５】
光学シートの周縁部と枠体との間に光学シートの熱膨張による大きさの変化を加味した隙間を設け、枠内に収納された光学シートが移動自在に収納されたバックライトユニットについて、光学シートが移動して枠に衝突する際に発生する衝突音を、従来よりもさらに小さくするため本発明者らは種々の検討を行った。
【００１６】
その結果、光学シートの周縁部に、光学シートの略矩形の外形を成す各辺のうち一方の長辺側と、その長辺と向かい合う他方の長辺側とに突起群をそれぞれ設け、この突起群を、枠体の側壁に設けられた突起収納部に配置される第一の突起と、上記枠体の開口部内において上記突起収納部の外側に広がる内壁面の一部と向かい合って配置される第二の突起とが並んで設けられたものとすることにより課題を解決するに至った。
【００１７】
本発明は、枠体に収容された光学シートの長手方向および短手方向への各移動を制限するための突起を、先行技術のように、矩形の光学シートの外形を成す各辺ごとに設けるのではなく、光学シートの長辺側周縁部にだけ設けている。すなわち、光学シートの長手方向（Ｙ方向）への移動による衝突は、枠体の側壁に設けられた突起収納部内における、光学シート全体から比べれば極々小さな第一の突起と突起収納部を形成する壁面との局所的な衝突のみとなる。また、光学シートの短手方向（Ｘ方向）への移動は、第一の突起と並んで設けられた第二の突起により同時に制限できる。なお、この第二の突起は、第一の突起を中心とした光学シートの回転移動をも制限することができる。
【００１８】
このように、本発明は、光学シートの短辺側周縁部と枠体との隙間に係わりなく、光学シートの長手方向および短手方向それぞれの方向への移動を、光学シートの長手側の周縁部に設けられた突起群により制限する。そのため、光学シートが熱膨張していないとき、すなわち、光学シートの周縁部と枠体との間の隙間があるとき、従来と比較して、光学シートと枠体との間に生じる衝突音を低減することができる。
【００１９】
以下、図面に基づいて、本形態のバックライトユニットについて詳細に説明する。図１は、本形態におけるバックライトユニット１００を分解して示す各構成部材の斜視図である。また、図２は、本形態のバックライトユニット１００の枠体１０４と光学シート部１０３との関係を示す上面図である。また、図３は、本形態のバックライトユニット１００の光学シート部１０３を示す上面図である。
【００２０】
本形態のバックライトユニット１００は、図１に示されるように、箱型に形成された筐体１０８の内側に反射シート１０７が敷設され、その上に、光源１０６からの光を導光する導光体１０５と、その導光体１０５の上に光学シート部１０３と、その光学シート部１０３を収容する開口部を有する枠体１０４と、を備える。
【００２１】
すなわち、筐体１０８の凹部内には、凹部側壁に沿って配置された光源１０６と、凹部底面の側から順に、光入射面に対面された光源１０６からの光を導光する導光体１０５と、その導光体１０５からの出射光を光学制御するための光学シート部１０３とが重ねられて収納されている。本形態の光学シート部１０３は、導光体１０５の側から順に、拡散シートと、第一のプリズムレンズシートと、その第一のプリズムレンズシートとはプリズムの配列方向が異なる第二のプリズムレンズシートと、が導光体１０５の上に積み重ねられて枠体１０４の内部に納められたものである。この光学シート部１０３を構成する各シートの形状は、導光体の光出射面の大きさおよび形状に相応した形状とされている。
【００２２】
さらに、筐体１０８の側壁の上面側には、その本体部分より１回り大きく外側に突出して、筐体１０８の側壁の外側に嵌め込むことが可能な内面を有する外枠１０１が配置されている。この外枠１０１の上に、液晶やカラーフィルター（図示せず）などが配置されて液晶表示装置が構成される。
【００２３】
バックライトユニット１００は、導光体１０５の光出射面側に配置されている光学シート部１０３が加熱されて熱膨張した際に、その膨張分により、光学シート部１０３を構成する各シートがその厚み方向に移動すると、液晶表示装置を構成したとき光学的に異常な挙動をして、液晶表示装置の表示面にシワ、シミ等を発生することがある。そのようなことがないように、本形態のバックライトユニット１００は、光学シート部１０３が導光体１０５の光取り出し面に平行な方向に、自由に熱膨張できるように、各光学シートの周縁部を他の部材で完全には拘束しない構造をしている。
【００２４】
すなわち、各種光学シートは、光源からの輻射熱により加熱されて膨張するため、その膨張分の大きさ変化を見越して、枠体との間に隙間が形成される寸法で断裁される。さらに、本形態の光学シート部１０３は、その外形を成す四辺のうち、一方の長辺の側と、それと向かい合う他方の長辺側における各周縁部に、適当な間隔を置いて、それぞれ短冊状の第一の突起１０２ａおよび第二の突起１０２ｂとからなる突起群１０２が設けられている。
【００２５】
ここで、第一の突起１０２ａは、枠体１０４の突起収納部１０９に嵌め込まれている。本形態の突起収納部１０９は、枠体１０４の開口部の内面から開口部を形成する側壁の幅方向に空けられた凹部や貫通孔とすることができる。バックライトユニット１００本体が急激な外力を受けて移動すると、枠体１０４に対して、光学シート部１０３が慣性により最初の位置からずれて、いずれかの方向に相対的に移動して、第一の突起１０２ａが上記突起収納部１０９の内壁面と局所的に衝突する。例えば、図２で示されるＸ方向およびＹ方向を定義して説明すると、光学シート部１０３がＹ方向に移動したとき、第一の突起１０２ａにおけるその延伸方向に延びる周縁部が、その周縁部と向かい合う突起収納部１０９の内壁面と衝突する。
【００２６】
また、第二の突起１０２ｂは、第一の突起１０２ａよりは小さく、第一の突起１０２ａと隣り合って、光学シート部１０３における一対の長辺側周縁部に設けられている。この第二の突起１０２ｂは、バックライトユニット１００を構成したとき、枠体１０４の開口部内において、突起収納部１０９の外側に広がる内側壁面に向かい合って配置される。この第二の突起１０２ｂは、通常、開口部の内側壁面との間に隙間が生じる状態で配置されているが、光学シート部１０３がＸ方向に移動すると、第二の突起１０２ｂの先端部が、それと向かい合う開口部の内壁面と衝突する。あるいは、光学シート部１０３が第一の突起１０２ａの周辺を支点とする回転移動するとき、第二の突起１０２ｂの先端部が開口部の内壁面に局所的に衝突する。
【００２７】
このように、光学シート部１０３と、枠体１０４との衝突は、光学シート全体から見れば局所的な第一の突起１０２ａおよび第二の突起１０２ｂによる衝突となる。その結果、発生する衝突音も、従来の光学シートの外形を成す各辺における衝突と比較して、小さい音となる。また、光学シートの短手方向（Ｘ方向）に延びる周縁部と、枠体との間に形成される隙間は、光学シートの長手方向（Ｙ方向）への熱膨張を加味して、比較的多めに設定できる。このため、光学シートが熱膨張していないときでも、従来と比較して、光学シートの短手方向に延びる周縁部と、枠体との間に生じる衝突音を低減することができる。
【００２８】
また、図示例では、各突起の形状を、光学シートの概形（矩形）から突出した短冊状としているが、枠体１０４の突起収納部１０９への嵌め易さを考慮して突起の角部を丸めたり、短冊状（四角形）の他、台形などの形状にしたりすることも可能であり、また、それらの組み合わせ、第一の突起１０２ａおよび第二の突起１０２ｂとで異なる形状も可能である。
【００２９】
また、図示例では、第一の突起１０２ａを第二の突起１０２ｂよりも大きく設けたが、とにかく、第一の突起１０２ａを枠体１０４の突起収納部１０９に嵌め込むことができれば、枠体１０４の開口部内壁面の形状を変形させるなどしてもよい。なお、図中のＹ方向（矢印の方向）に、第一の突起１０２ａ、第二の突起１０２ｂの順に並べて配置したが、その順序は問わない。すなわち、図中のＹ方向（矢印の方向）に、第二の突起１０２ｂ、第一の突起１０２ａの順に並べて配置してもよい。
【００３０】
また、図示例では、バックライトユニット１００の組み立て時に、表裏を間違えることなく光学シート部１０３を筐体１０８に収納するため、一方の長辺側周縁部と、他方の周辺側周縁部とで、突起群１０２が設けられる位置に上下関係を持たせてある。しかし、表裏を間違えることなく光学シート部１０３を配置するための他の手段が講じられれば、図示されるような上下関係を持たせることなく、略水平に突起群１０２を各長辺側周縁部に設けてもよい。
【００３１】
本形態の突起群１０２は、第一の突起１０２ａおよび第二の突起１０２ｂを、それぞれ一つずつ含むように設けたが、本形態のバックライトユニットと同程度の効果がある限りにおいて、それぞれ複数設けてもよい。また、光学シート部を構成する各シート全てに突起群１０２を設ける必要はなく、特に衝突音を発生させるシートのみに限定して突起群１０２を設けてもよい。以下、本形態のバックライトユニット１００を構成する各部材について詳述する。
【００３２】
（枠体）
本形態における枠体１０４とは、光学シート部１０３や導光体１０５を収容する開口部を有し、バックライトユニット１００を構成したとき、導光体１０５の側面と筐体１０８の内側面との間に配置されることにより、光学シート部１０３や導光体１０５を筐体１０８の所定の位置に保持する部材である。さらに、本形態の枠体１０４は、光学シート部１０３の周縁部に設けられた第一の突起１０２ａを嵌めこむための突起収納部１０９を有する。この突起収納部１０９には、第一の突起１０２ａの少なくとも一部が配置される。
【００３３】
本形態の突起収納部１０９は、第一の突起１０２ａと向かい合う枠体１０４の内壁面に、第一の突起１０２ａが差し込まれる方向に向かって彫られた孔または凹部である。このような突起収納部１０９は、枠体１０４を形成するときに一体的に形成することができる。特に、突起収納部１０９を、枠体１０４の開口部を形成する側壁の幅方向に貫通された孔としたときには、突起収納部１０９が凹部のときと比較して、突起収納部１０９の内壁面と第一の突起１０２ａの周縁部とが当接する面積が増えるので、光学シートの長手方向への移動を良好に制限することができる。
【００３４】
また、突起収納部１０９は、枠体１０４の側壁の厚み方向だけでなく、バックライトユニットの正面側からも彫られた溝であってもよい。バックライトユニットを組み立てるとき、図１および図２に示されるように、第一の突起１０２ａを突起収納部１０９に嵌め込みながら、バックライトユニット１００の正面側から光学シート部１０３を枠体１０４に配置しやすいからである。
【００３５】
枠体１０４の形状は、枠内に収容される各部材の形状に合わせ、種々の形状とされる。すなわち、本形態における枠体１０４は、少なくとも光学シート部１０３や導光体１０５が収容可能な開口部を有し、この開口部の大きさおよび形状は、収容される導光体１０５の大きさ、形状および数に合わせて適宜調節される。また、枠体１０４の開口部を形成する側壁の幅は、導光体１０５の側面と、筐体１０８の凹部の内壁面とにより形成される隙間の大きさより小さい。これにより、導光体１０５の側面と、筐体１０８の凹部の内壁面とにより形成された隙間に枠体１０４を嵌め込んで、導光体１０５および枠体１０４を筐体１０８の凹部内に収容したバックライトユニット１００を形成することができる。
【００３６】
枠体１０４は、少なくとも開口部を形成する側壁の内壁面において、炭酸カルシウム、酸化アルミニウムや酸化チタンのような光拡散剤や白色系の顔料を有していることが好ましい。このような枠体１０４の側壁部分は、光源１０６からの光を導光体１０５の入射面の方向に反射させたり、導光体１０５の側面方向から出射される光を導光体１０５のほうへ反射させ、導光体１０５へ再入射させたりすることができる。
【００３７】
枠体１０４の材料は、例えば、機械的強度に優れたポリカーボーネート、ポリエーテルエーテルケトン、フッ素系樹脂のような絶縁性材料とすることができる。さらに、枠体は、炭酸カルシウム、酸化アルミニウムや酸化チタンのような光拡散剤を含有させた樹脂材料にて射出成型により形成することもできる。
【００３８】
（導光体）
本形態における導光体１０５とは、端面の一部から入射された光源からの光を、内部の反射を利用して導光し、所定の光出射面から所望の形状に発光させることができる透光性部材である。したがって、発光面の所望形状により、メーター針のような針状、液晶バックライト光源として利用可能な板状など種々の形状を取ることができる。導光体１０５は発光ダイオードからの光あるいはその光を波長変換させた光を効率よく発光面から放出するために、透光性を有している。このような導光体１０５の材料としてはアクリル樹脂やエポキシ樹脂、ガラスなど種々の材料が好適に挙げられる。
【００３９】
（光源）
本形態における光源１０６とは、発光ダイオードや半導体レーザなどの半導体発光素子、冷陰極線管あるいはそれらから種々選択して組み合わせた複合的な光源など、導光体１０５に入射させることができる光を発する部材をいう。導光体１０５への光源の配置の仕方について、導光体１０５の側端面に光源を配したエッジライト方式としてもよいし、導光体１０５の下面に光源を配した直下型方式としてもよい。
【００４０】
（筐体）
本形態における筐体１０８とは、光源が配置された実装基板と、導光体と、光学シート部１０３と、を収容する凹部を有し、それらの部材を保持する部材である。筐体１０８の材料は、各種光拡散剤を含有した樹脂や金属など種々のものが好適に挙げられる。特に、発熱を伴う発光ダイオードの放熱性や光反射などを考慮してニッケル、鉄、銅、アルミニウムなどの金属、ステンレスなどの各種合金がより好適に用いられる。筐体の大きさや形状は、収容する部材の大きさや形状に合わせて種々選択できる。
【００４１】
以下、本発明に係る実施例について詳述する。なお、本発明は以下に示す実施例のみに限定されないことは言うまでもない。
【実施例１】
【００４２】
図１は、本実施例におけるバックライトユニット１００の各構成部材の斜視図である。図２は、本実施例におけるバックライトユニット１００の枠体１０４と光学シート部１０３との関係を示す上面図である。図３は、本実施例におけるバックライトユニット１００の光学シート部１０３を示す上面図である。図４は、本実施例における枠体の突起収納部１０９と第一の突起１０２ａとの関係について、部分的に拡大して示す斜視図である。
【００４３】
本実施例のバックライトユニット１００は、図１に示されるように、箱型に形成された筐体１０８の内側に反射シート１０７が敷設され、その上に、発光ダイオードからなる光源１０６からの光を光出射面側に導く導光板１０５と、その導光板１０５の光出射面上に配置された光学シート部１０３と、その光学シート部１０３を収容する開口部を有する枠体１０４と、を備える。
【００４４】
本実施例の光学シート部１０３の概形は、横（Ｘ方向）の長さが、約４５ｍｍであり、縦（Ｙ方向）の長さが、約４７ｍｍの矩形である。
【００４５】
光学シート部１０３の長手方向（Ｙ方向）にそって延びる一対の周縁部について、一方の周縁部と、それと向かい合う他方の周縁部には、第一の突起１０２ａと、第二の突起１０２ｂとからなる突起群１０２が設けられている。第一の突起１０２ａの幅は、３ｍｍであり、光学シート部１０３の概形（矩形）から１．９ｍｍだけ突出している。第一の突起１０２ａと隣り合って設けられた第二の突起１０２ｂの幅は、１ｍｍであり、０．７ｍｍだけ突出している。第一の突起１０２ａと、第二の突起１０２ｂとの間隔は、約２ｍｍである。
【００４６】
また、一方の周縁部と、それと向かい合う他方の周縁部に設けられた突起群１０２の位置にはＹ方向に上下関係を持たせてある。本実施例では、図２および図３に示されるように、光学シート部１０３を正面から見て、右側の長辺側周縁部における第二の突起１０２ｂと、左側の長辺側周縁部における第一の突起１０２ａとが略水平となるようにしてある。
【００４７】
図２に示されるように、第一の突起１０２ａの先端部と向かい合う、枠体１０４の側壁には、突起収納部１０９が設けられている。本実施例における突起収納部１０９は、枠体１０４の側壁の厚み方向に貫通された孔であり、第一の突起１０２ａは、この孔に、第一の突起１０２ａの先端部が枠体１０４の外壁面から突出するようにして差し込まれている。また、第二の突起１０２ｂは、その先端部が、孔の外側に設けられる枠体１０４の内壁面と向かい合う位置に配置されている。
【００４８】
このような光学シート部１０３を形成し、上述したようなバックライトユニット１００を構成することにより、従来よりも光学シートと枠体との衝突音を低減することができる。
【産業上の利用可能性】
【００４９】
本発明は、構成部材同士の衝突が低減されたバックライトとして、携帯電話や、自動車の振動の影響を受ける車載用の液晶表示装置などに利用可能である。
【図面の簡単な説明】
【００５０】
【図１】図１は、本発明の一実施例におけるバックライトユニットの各構成部材の斜視図である。
【図２】図２は、本発明の一実施例におけるバックライトユニットの枠体と光学シートとの関係を示す上面図である。
【図３】図３は、本発明の一実施例におけるバックライトユニットの光学シート部を示す上面図である。
【図４】図４は、本発明の一実施例におけるバックライトユニットの一部を拡大して示す斜視図である。
【符号の説明】
【００５１】
１００・・・バックライトユニット
１０１・・・外枠
１０２・・・突起群
１０２ａ・・・第一の突起
１０２ｂ・・・第二の突起
１０３・・・光学シート部
１０４・・・枠体
１０５・・・導光体
１０６・・・光源
１０７・・・反射シート
１０８・・・筐体
１０９・・・突起収納部
【図１】
2008243731.tif 000003
【図２】
2008243731.tif 000004
【図３】
2008243731.tif 000005
【図４】
2008243731.tif 000006